(57)【要約】 【課題】本考案は、足裏をマッサージする踏み板に関する考案である。【解決手段】本考案は、上下カバーを重ね縁を連結し袋状とし周囲に複数の縦紐及び横紐を取り付けたマッサージシートカバーと、無数の指圧体を均等に並べて２枚のシートで挟み各指圧体が独立して存在するようにキルティング縫製を施し前記マッサージシートカバー内に内包されたマッサージシートと、複数の支柱を介して連結された上下板からなり前記マッサージシートを内包したマッサージシートカバーを上板上に載置し前記縦横紐で上板に括り付けて取り付ける土台と、片面にクッション材を設け前記土台の上板とマッサージシートカバーの間に任意に取り付けられる細長の調節板とからなることを特徴とする足裏マッサージ踏み板の構成とした。【選択図】  図１
0003137959.tif 000002
【実用新案登録請求の範囲】
【請求項１】
上下カバーを重ね縁を連結し袋状とし周囲に複数の縦紐及び横紐を取り付けたマッサージシートカバーと、無数の指圧体を均等に並べて２枚のシートで挟み各指圧体が独立して存在するようにキルティング縫製を施し前記マッサージシートカバー内に内包されたマッサージシートと、複数の支柱を介して連結された上下板からなり前記マッサージシートを内包したマッサージシートカバーを上板上に載置し前記縦横紐で上板に括り付けて取り付ける土台と、片面にクッション材を設け前記土台の上板とマッサージシートカバーの間に任意に取り付けられる細長の調節板とからなることを特徴とする足裏マッサージ踏み板。
【考案の詳細な説明】
【技術分野】
【０００１】
本考案は、足裏をマッサージする踏み板に関する考案である。
【背景技術】
【０００２】
従来、足裏のツボを刺激するマッサージ用具は、青竹を縦半分に切断した足踏みや半円中のプラスチック素材の表面に凹凸を付けた足踏み等が使用されていた。
【０００３】
しかしながら、従来の青竹やプラスチック素材の足踏みでは素材が硬すぎるため足裏に対して刺激が強すぎることがあり、特にプラスチック素材で表面に無数の突起があるタイプの足踏みでは返って足を痛めてしまうことがあった。そのため、長時間の使用には向かず、また繰り返し使用したいと思うものではなかった。
【０００４】
また、上記のような問題を解決するために引用文献１に示したような足裏用の器具が考案されているが、やはり踏み板が木材で構成されているため従来の青竹等に比べれば柔らかくなっているが、依然として痛みを感じるものであった。
【０００５】
更に、これまでの足裏マッサージ等の用具は、常に足裏に対する刺激が一定であるため長い間同じ足裏マッサージ用具を使用しているために足が慣れてしまっても強さを換えることができず、別のマッサージ具を使用しなければならなかった。
【特許文献１】実開平７−３６３７号公報
【考案の開示】
【考案が解決しようとする課題】
【０００６】
そこで、本考案は、足裏に対する刺激が程よく長時間の使用や繰り返し利用しやすく、また、容易に刺激の強さを換えることができるため買い換えずに長年使用することができる足裏マッサージ踏み板を提供することを目的とするものである。
【課題を解決するための手段】
【０００７】
本考案は、上記の課題を解決するために、上下カバー２ａ、２ｂを重ね縁を連結し袋状とし周囲に複数の縦紐２ｃ及び横紐２ｄを取り付けたマッサージシートカバー２と、無数の指圧体３ｂを均等に並べて２枚のシートで挟み各指圧体３ｂが独立して存在するようにキルティング縫製を施し前記マッサージシートカバー２内に内包されたマッサージシート３と、複数の支柱５ｃを介して連結された上下板５ａ、５ｂからなり前記マッサージシート３を内包したマッサージシートカバー２を上板５ａ上に載置し前記縦横紐２ｃ、２ｄで上板５ａに括り付けて取り付ける土台５と、片面にクッション材４ａを設け前記土台５の上板５ａとマッサージシートカバー２の間に任意に取り付けられる細長の調節板４とからなることを特徴とする足裏マッサージ踏み板１の構成とした。
【考案の効果】
【０００８】
本考案の足裏マッサージ用具は、指圧体に軟性部材を使用しているため足裏に対する刺激が優しく、足裏の刺激に弱い方でも長時間使用することができる。
【０００９】
また、容易に刺激の調節をすることができるため足裏の刺激に慣れてしまっても買い換えることなく使用することができ、１台で幅広い人に対応することもできるため無駄な出費を抑えることができる。
【考案を実施するための最良の形態】
【００１０】
足裏マッサージの刺激を程よく維持し、１台で長年にかけて使用することや多くの人に対応することができ買い換え等の無駄な出費を抑えることができる足裏マッサージ用具とう目的を、指圧力の調節機能をつけることによって実現した。
【実施例１】
【００１１】
図１は、本考案である足裏マッサージ踏み板の斜視図、図２は本考案である足裏マッサージ踏み板の分解斜視図である。
【００１２】
図１及び図２に示すように、本考案である足裏マッサージ踏み板１は、上下カバー２ａ、２ｂを重ね縁を連結し袋状とし周囲に複数の縦紐２ｃ及び横紐２ｄを取り付けたマッサージシートカバー２と、
無数の指圧体３ｂを均等に並べて２枚のシートで挟み各指圧体３ｂが独立して存在するようにキルティング縫製を施し前記マッサージシートカバー２内に内包されたマッサージシート３と、
複数の支柱５ｃを介して連結された上下板５ａ、５ｂからなり前記マッサージシート３を内包したマッサージシートカバー２を上板５ａ上に載置し前記縦横紐２ｃ、２ｄで上板５ａに括り付けて取り付ける土台５と、
片面にクッション材４ａを設け前記土台５の上板５ａとマッサージシートカバー２の間に任意に取り付けられる細長の調節板４とからなる。
【００１３】
前記マッサージシートカバー２の上下カバー２ａ、２ｂは縁同士を接着又は縫い合わせ等の方法により袋状としたものであり、マッサージシート３を内包して全ての面を縫い合わせてもよく、また一辺を開口させた状態でもジッパーとして開閉可能としてもよい。
【００１４】
また、マッサージシートカバー２を土台５に取り付けるための前記縦横紐２ｃ、２ｄはゴム製のものであっても、幅広の紐であってもよく、特に限定したものではない。
【００１５】
前記マッサージシート３内に等間隔に内包されている無数の指圧体３ｂ、３ｂ、３ｂ・・・は図中では円柱形状としたが、その他球体や角形等であってもよく、形状については特に限定したものではない。
【００１６】
前記各指圧体３ｂ、３ｂ、３ｂ・・・は、２枚のマッサージシート３に挟まれ、更に各指圧体３ｂ、３ｂ、３ｂ・・・がマッサージシート３内で片寄ることがないようにキルティング縫製により常に等間隔を維持できるように内包されている。
【００１７】
そのため、マッサージシート３の表裏面は指圧体３ｂの数だけ凸部３ａが形成された状態となっている。
【００１８】
前記調節板４はやや肉厚の細長い板で片面に同じく肉厚のクッション材４ａが取り付けられている。調節板４の長さは土台５の上板５ａよりもやや短い。
【００１９】
前記土台５は、同形同大の２枚の上下板５ａ、５ｂと前記上下板５ａ、５ｂを連結する複数の支柱５ｃ、５ｃ、５ｃ・・・からなり、上下板５ａ、５ｂの間に空間を設けて連結されている。
【００２０】
前記下板５ｂの底面には四隅に滑り止め５ｄが取り付けられており、この取り付け数は特に限定したものではなく、増減しても構わない。また、上下板５ａ、５ｂを連結する支柱５ｃについては、円柱形としたが、この形状ではなく角柱形としてもよく、更に使用する本数や位置についても図中のものに限られず増減しても構わない。
【００２１】
図３は本考案である足裏マッサージ踏み板のＡ−Ａ線断面図、図４は本考案である足裏マッサージ踏み板の使用状態を示した図である。
【００２２】
図３に示すように、土台５の上板５ａ上の中央に前記調節板４をクッション材４ａが上面にくるように載置し、更にその上からマッサージシート３を内包したマッサージシートカバー２を被せる。
【００２３】
次にマッサージシートカバー２に取り付けられている各縦横紐２ｃ、２ｄを上下板５ａ、５ｂの間に通して対応する縦紐５ａ同士と、横紐５ｂ同士を結び上板５ａに括り付ける。
【００２４】
以上のように、マッサージシート３を内包したマッサージシートカバー２の中央部は調節板４により山型に盛り上がった状態となり、その部分に足６を載せることで足裏のツボを刺激することができる。
【実施例２】
【００２５】
図５は本考案である足裏マッサージ踏み板の他の使用状態を示した図である。図５に示すように、本考案である足裏マッサージ踏み板１は、実施例１で示したようにマッサージシートカバー２と土台５の間に調節板４を挟みマッサージシートカバー２を山型にした状態で使用するが、足裏への刺激が強すぎる場合には、前記調節板４を使用せずにマッサージシートカバー２を平らにした状態で使用することができる。
【００２６】
この場合、実施例１の方法よりも足裏に伝わる刺激が柔らかくなり、刺激に弱い人でも十分に心地よいマッサージを得ることができる。
【実施例３】
【００２７】
図６は本考案である足裏マッサージ踏み板の他の使用状態を示した図である。図６に示すように、本考案である足裏マッサージ踏み板１は、実施例１で示した使用法では足裏への刺激が弱いと感じる場合には、調節板４をクッション材４ａが下面にくるように載置して使用すればよい。
【００２８】
実施例１では、マッサージシート３の各指圧体３ｂと調節板４のクッション材４ａが互いに衝撃を吸収し合うため足裏への刺激が弱められていたが、実施例３のように調節板４上にマッサージシートカバー２を載せた場合は、刺激の吸収が弱まり足裏へ強い刺激が伝わる状態となっている。
【実施例４】
【００２９】
図７は本考案である足裏マッサージ踏み板の他の使用状態を示した図である。図７に示すように、本考案である足裏マッサージ踏み板１を複数個使用して階段状に並べて使用することができる。
【００３０】
図７のように階段状に組み合わせたマッサージ踏み板１の上を往復して歩くことにより、左右の足への重心のかかり方により前記実施例１から３と異なった強さの刺激を得ることができる。尚、マッサージ踏み板１の組み合わせ方法については、更に多くのマッサージ踏み板１を使用することで図７に示した以外の組み合わせをすることができる。
【００３１】
以上のように、本考案ではマッサージ踏み板１単体で、刺激の強さを３段階に換えることができ、あらゆる人の足裏に対応することができる。即ち、最も刺激が弱い方法である実施例２、通常の刺激が伝わる方法である実施例１、そして最も刺激が強い方法である実施例３の３段階の足裏マッサージを受けることができる。
【００３２】
更に実施例４で示したように、本考案を複数組み合わせることで、実施例１から３で得られる刺激とは異なった刺激を受けることができる。
【図面の簡単な説明】
【００３３】
【図１】本考案である足裏マッサージ踏み板の斜視図である。
【図２】本考案である足裏マッサージ踏み板の分解斜視図である。
【図３】本考案である足裏マッサージ踏み板のＡ−Ａ線断面図である。
【図４】本考案である足裏マッサージ踏み板の使用状態を示した図である。
【図５】本考案である足裏マッサージ踏み板の他の使用状態を示した図である。
【図６】本考案である足裏マッサージ踏み板の他の使用状態を示した図である。
【図７】本考案である足裏マッサージ踏み板の他の使用状態を示した図である。
【符号の説明】
【００３４】
１      足裏マッサージ踏み板
２      マッサージシートカバー
２ａ    上カバー
２ｂ    下カバー
２ｃ    縦紐
２ｄ    横紐
３      マッサージシート
３ａ    凸部
３ｂ    指圧体
４      調節板
４ａ    クッション材
５      土台
５ａ    上板
５ｂ    下板
５ｃ    支柱
５ｄ    滑り止め
６      足
【図１】
0003137959.tif 000003
【図２】
0003137959.tif 000004
【図３】
0003137959.tif 000005
【図４】
0003137959.tif 000006
【図５】
0003137959.tif 000007
【図６】
0003137959.tif 000008
【図７】
0003137959.tif 000009